(57)【要約】【課題】シェニール糸の色彩が変化している柄色部によって図柄が描出されている織物の図柄を、シャープに描出させることを課題とする。【解決の手段】そのシェニール糸の色彩が変化している柄色部によって図柄が描出されている織物において、ジャガード組織により、図柄の縁取り、図柄を描出することにより、図柄を、シャープに描出させる。【選択図】図４
2006316380.tif 000002
【特許請求の範囲】
【請求項１】
ヨコ糸が糸の長さ方向において色彩が変化しているシェニール糸（１０）によって構成され、そのシェニール糸（１０）の色彩が変化している柄色部（１２）によって図柄が描出されている織物において、ジャガード組織により、図柄を描出することを特徴とする織物。
【請求項２】
シェニール糸（１０）の色彩が変化し描出される図柄の境界部（１３）が、タテ糸又はヨコ糸をジャガード組織により織物表面に配置することにより、縁取られていることを特徴とする前掲請求項１に記載の織物。
【発明の詳細な説明】
【技術分野】
【０００１】
本発明はヨコ糸が糸の長さ方向において色彩が変化しているシェニール糸１０によって構成され、そのシェニール糸１０の色彩が変化している柄色部１２によって図柄が描出されている再織と呼ばれる織物に関する。
【背景技術】
【０００２】
従来の、ヨコ糸が糸の長さ方向において色彩が変化しているシェニール糸１０によって構成され、そのシェニール糸１０の色彩が変化している柄色部１２によって図柄が描出されている織物は、図柄が描出できるように予め糸の長さ方向において色彩が変化しているシェニール糸をヨコ糸として、視覚あるいはセンサーで位置合わせし、図柄を描出していた。
【０００３】
また、従来のシェニール糸１０の色彩が変化している柄色部１２によって図柄が描出されている織物のタテ糸は、ドビー装置により制御されており、タテ糸をシェニール糸１０のパイルにより隠し、シェニール糸１０の色彩のみを強調し、図柄を描出する方法が取られていた。
【０００４】
また、従来のシェニール糸１０の色彩が変化している柄色部１２によって図柄が描出されている織物において、ヨコ糸が糸の長さ方向において色彩が変化しているシェニール糸１０と異なるヨコ糸は、図柄を形成するためでなく、織物組織を安定させるためのシメ糸として用いられていた。
【発明の開示】
【発明が解決しようとする課題】
【０００５】
従来の、ヨコ糸が糸の長さ方向において色彩が変化しているシェニール糸１０によって構成され、そのシェニール糸１０の色彩が変化している柄色部１２によって図柄が描出されている織物は、そのシェニール糸１０を視覚あるいはセンサーで位置合わせし、図柄を描出しているが、位置合わせにバラツキが生じ、シャープな図柄の描出ができない問題を持っていたが、柄合わせ精度を向上させる対策のみで、他の方法は未だなされていなかった。
【０００６】
そこで本発明は、ヨコ糸が糸の長さ方向において色彩が変化しているシェニール糸１０によって構成され、そのシェニール糸１０の色彩が変化している柄色部１２によって図柄が描出されている織物の図柄を、シャープに描出させることを課題とする。
【課題を解決するための手段】
【０００７】
本発明に係る織物は、ヨコ糸が糸の長さ方向において色彩が変化しているシェニール糸１０によって構成され、そのシェニール糸１０の色彩が変化している柄色部１２によって図柄が描出されている織物において、ジャガード組織により、図柄を描出することを第１の特徴とする。
【０００８】
本発明によれば、ヨコ糸が糸の長さ方向において色彩が変化しているシェニール糸１０によって構成され、そのシェニール糸１０の色彩が変化している柄色部１２によって図柄が描出されている織物において、ジャガード組織により、指定されたタテ糸、ヨコ糸を指定された位置で織物組織された図柄を描出することにより、シェニール糸１０の色彩が変化している柄色部１２によって図柄が描出されている織物の中にシャープな図柄の領域を設け、織物全体の図柄をシャープにすることができる。
【０００９】
また、本発明に係る織物の第２の特徴は、シェニール糸１０の色彩が変化し描出される図柄の境界部１３が、タテ糸又はヨコ糸をジャガード組織により織物表面に配置することにより、縁取られている点にある。
【００１０】
本発明によれば、シェニール糸１０を視覚あるいはセンサーで位置合わせする時、位置合わせにバラツキが生じても、そのバラツキよりも大きなエリアで、シェニール糸１０の色彩が変化し描出される図柄の境界部１３を、ジャガード組織により、タテ糸又はヨコ糸で縁取ることにより、よりシャープな図柄描出の織物を得ることが出来る。
【発明の効果】
【００１１】
本発明によると、シェニール糸１０の色彩が変化している柄色部１２によって図柄が描出されている織物において、ジャガード組織により、指定されたタテ糸、ヨコ糸を指定された位置で織物組織された図柄を描出することにより、シェニール糸１０の色彩が変化している柄色部１２によって図柄が描出されている織物の中にシャープな図柄の領域を設け、織物全体の図柄をシャープにすることができる。
【００１２】
また、シェニール糸１０を視覚あるいはセンサーで位置合わせする時、位置合わせにバラツキが生じても、そのバラツキよりも大きなエリアで、シェニール糸１０の色彩が変化し描出される図柄の境界部１３を、ジャガード組織により、タテ糸又はヨコ糸で縁取ることにより、よりシャープな図柄描出の織物を得ることが出来る。
【発明を実施するための最良の形態】
【００１３】
以下、図面に示す実施の形態により、本発明を詳細に説明する。
【００１４】
図１は、ヨコ糸が糸の長さ方向において色彩が変化しているシェニール糸１０によって構成され、そのシェニール糸１０の色彩が変化している柄色部１２によって図柄１４が描出されている織物の図柄の位置合わせが、図案通りに出来た状態を示すものである。
【００１５】
図２は、ヨコ糸が糸の長さ方向において色彩が変化しているシェニール糸１０によって構成され、そのシェニール糸１０の色彩が変化している柄色部１２によって図柄が描出されている織物のヨコ糸の位置合わせを、視覚あるいはセンサーで行い、位置合わせにバラツキが生じた状態を示すものである。
【００１６】
なお、再織と呼ばれるヨコ糸が糸の長さ方向において色彩が変化しているシェニール糸１０によって構成され、そのシェニール糸１０の色彩が変化している柄色部１２によって図柄が描出されている織物の実生産された商品は、図２のように図柄の形状が歪になった状態が一般的である。
【００１７】
図３は、本発明における織物の図柄表現を図示するものであり、シェニール糸１０の色彩が変化している柄色部１２によって図柄１４が図２と同様に図柄の形状が歪になった状態であり、図柄１４を囲む円形図柄１８ａが、ジャガード組織でシェニール糸１０の上層に柄表示用タテ糸１５を構成し、それ以外の部分はタテシメ糸１６とヨコシメ糸１９によりシェニール糸１０が表面に織組織された状態を示すものである。
【００１８】
本発明は、シェニール糸１０の色彩が変化している柄色部１２によって表現された歪な状態の図柄１４に加え、ジャガード組織表現された図案通りの図柄表現の円形図柄１８ａを構成させることにより、織物の図柄表現にシャープさを持たせることが可能である。
【００１９】
図４は、本発明における織物の図柄表現を図示するものであり、シェニール糸１０の色彩が変化している柄色部１２によって描出される図柄１４の境界部１３が、柄表示用タテ糸１５がシェニール糸１０の上層にジャガード組織で織組織され、縁取られた状態を示すものである。
【００２０】
本発明は、柄合わせのバラツキにより、シェニール糸１０の色彩が変化している柄色部１２によって表現される図柄１４が図２と同様に歪になった状態であっても、図柄１４の境界部１３をジャガード組織で縁取ることにより、図柄を図案通りに織り上げることが可能となり、従来再織が抱えていた図柄が歪になる問題点を解消することができる。
【００２１】
図５は、本発明における織物の図柄表現を図示するものであり、シェニール糸１０の色彩が変化している柄色部１２によって描出される図柄１４の境界部１３をジャガード組織で縁取った部分と、ジャガード組織で図柄表現した部分１７より構成された状態を示すものである。
【００２２】
この構成により、本発明の織物は、細線表現をシェニール糸１１の色彩の変化をもちいずジャガード組織で行うとともに、図柄の境界をジャガード組織で縁取ることにより、再織と呼ばれるヨコ糸が糸の長さ方向において色彩が変化しているシェニール糸１０によって構成される織物を、よりシャープな図柄表現の織物にすることができる。
【００２３】
図６は、本発明における織物の図柄表現を図示するものであり、シェニール糸１０の色彩が変化している柄色部１２によって構成される図柄１４が図２と同様に歪になった状態であり、図柄１４を囲む円形図柄１８ｂが、ジャガード組織を用い、シェニール糸１０の上層に、長さ方向において色彩が変化しているシェニール糸１０以外の柄表示用ヨコ糸１１で構成された状態を示すものである。
【００２４】
図６においては、長さ方向において色彩が変化しているシェニール糸１０と、柄表示用ヨコ糸１１が１対２の割合で構成されており、図柄１４を囲む円形図柄１８ｂの図柄表現画素がシェニール糸１１の色彩変化による単位面積あたりの表現画素に対し２倍の画素を表現しており、よりシャープな図柄表現が可能となる。
【００２５】
図７は、本発明における織物の図柄表現を図示するものであり、シェニール糸１０の色彩が変化している柄色部１２によって描出される図柄１４の境界部１３が、シェニール糸１０の上層にジャガード組織で長さ方向において色彩が変化しているシェニール糸１０以外の柄表示用ヨコ糸１１を構成し、縁取られた状態を示すものである。
【００２６】
図７においては、長さ方向において色彩が変化しているシェニール糸１０と、柄表示用ヨコ糸１１が１対２の割合で構成されており、図柄１４の境界を縁取る図柄表現画素がシェニール糸１１の色彩変化による単位面積あたりの表現画素に対し２倍の画素を表現しており、よりシャープな図柄表現を可能となる。
【００２７】
なお、本発明においては、柄表示用ヨコ糸１１に、長さ方向において色彩が変化しているシェニール糸１０以外の糸を使用すると限定するものでなく、柄表示用の領域をもつ長さ方向において色彩が変化しているシェニール糸を用いてもよい。
【００２８】
なお、本発明の織物のジャガード組織による柄表現は、タテ糸出し、ヨコ糸出しを併用すると表現力が向上するとともに、刺繍による柄の縁取りを行うよりも生産性が非常に高く有用である。
【図面の簡単な説明】
【００２９】
【図１】本発明に係る織物の平面図である。
【図２】本発明に係る織物の平面図である。
【図３】本発明に係る織物の平面図および部分拡大図である。
【図４】本発明に係る織物の平面図および部分拡大図である。
【図５】本発明に係る織物の平面図および部分拡大図である。
【図６】本発明に係る織物の平面図および部分拡大図である。
【図７】本発明に係る織物の平面図および部分拡大図である。
【符号の説明】
【００３０】
１０：糸の長さ方向において色彩が変化しているシェニール糸
１１：柄表示用ヨコ糸
１２：柄色部
１３：図柄の境界部
１４：図柄
１５：柄表示用タテ糸
１６：タテシメ糸
１７：ジャガード組織で図柄表現した部分
１８ａ：円形図柄
１８ｂ：円形図柄
１９：ヨコシメ糸
【図１】
2006316380.tif 000003
【図２】
2006316380.tif 000004
【図３】
2006316380.tif 000005
【図４】
2006316380.tif 000006
【図５】
2006316380.tif 000007
【図６】
2006316380.tif 000008
【図７】
2006316380.tif 000009